(57)【要約】 【課題】  薄手、及び厚手の被取付部材にまで取り付けることができる上に、表裏両面に意匠を施すことができるようにし、又、ゴルフ用マーカー保持具の表裏両側にゴルフ用マーカーを脱落の虞の少ない状態で確固として保持できるようにした。【解決手段】  互いに対向して設けられて被取付部材８を挟持する二つの挟持部３、４を備え、少なくも一方の挟持部３の挟持面３aには、抜け止め突起１０が形成され、該抜け止め突起１０は前記挟持面３aの縁に達しない位置に形成されることによりその周囲が前記挟持面３で囲まれた形状であることを特徴とするものである。【選択図】    図２
0003125946.tif 000002
【実用新案登録請求の範囲】
【請求項１】
ゴルフ用マーカー保持具であって、
互いに対向して設けられて被取付部材を挟持する二つの挟持部を備え、これら挟持部の一側が被取付部材の挿入口になり、これら各挟持部の互いに対向する内面は挟持面であって外側は絵柄表示部となり、二つの絵柄表示部の少なくとも一方にはマーカー保持部が設けられ、
前記少なくも一方の挟持部の挟持面には、他方の挟持部側へ向けて突出する抜け止め突起がプレス成形によって１つ以上形成され、該抜け止め突起は一方向へ延設された形状であって且つ、該抜け止め突起の頂部は線状に連続した形状であり、該抜け止め突起は前記挟持面の縁に達しない位置に形成されることによりその周囲が前記挟持面で囲まれ、該抜け止め突起の線状の頂部と、他方の挟持部の挟持面との間で被取付部材を挟持するようにして該被取付部材に取り付けられることを特徴とするゴルフ用マーカー保持具。
【請求項２】
前記抜け止め突起は、蒲鉾状であることを特徴とする請求項１に記載のゴルフ用マーカー保持具。
【請求項３】
前記抜け止め突起は、前記挿入口から挿入される被取付部材の挿入方向と直交する方向に延設された形状であることを特徴とする請求項１又は請求項２に記載のゴルフ用マーカー保持具。
【請求項４】
ゴルフ用マーカー保持具であって、
互いに対向して設けられて被取付部材を挟持する二つの挟持部を備え、これら挟持部の一側が被取付部材の挿入口になり、これら各挟持部の互いに対向する内面は挟持面であって外側は絵柄表示部となり、二つの絵柄表示部の少なくとも一方にはマーカー保持部が設けられ、
前記少なくも一方の挟持部の挟持面には、他方の挟持部側へ向けて突出する抜け止め突起がプレス成形によって１つ以上形成され、該抜け止め突起はその頂部は面状に形成され、該抜け止め突起は前記挟持面の縁に達しない位置に形成されることによりその周囲が前記挟持面で囲まれ、該抜け止め突起の面状の頂部と、他方の挟持部の挟持面との間で被取付部材を挟持するようにして該被取付部材に取り付けられることを特徴とするゴルフ用マーカー保持具。
【請求項５】
前記抜け止め突起の頂部は、円形、楕円形又は多角形状の面状であることを特徴とする請求項４に記載のゴルフ用マーカー保持具。
【請求項６】
前記抜け止め突起は、前記挿入口から１ｍｍ以上離間した位置に形成されていることを特徴とする請求項１乃至請求項５の何れか１項に記載のゴルフ用マーカー保持具。
【請求項７】
前記二つの挟持部の挟持面及び突起には、滑り止めが形成されていることを特徴とする請求項１乃至請求項６の何れか１項に記載のゴルフ用マーカー保持具。
【請求項８】
前記挟持部は銅の合金で形成され、前記マーカー保持部はゴルフ用マーカーを磁着するための磁性体で形成され、マーカー保持部は挟持部に溶着又は接着されていることを特徴とする請求項１乃至請求項７の何れか１項に記載のゴルフ用マーカー保持具。
【請求項９】
一枚の板材を折り曲げることにより、一側が被取付部材の挿入口となり、他側が折曲部となると共に、該折曲部から延設するように二つの挟持部が設けられた形状であることを特徴とする請求項１乃至請求項の８何れか１項に記載のゴルフ用マーカー保持具。
【請求項１０】
前記折曲部は、二つの挟持部同士の離間幅よりも外側へ広げるように拡張した形状であることを特徴とする請求項９に記載のゴルフ用マーカー保持具。
【請求項１１】
前記挟持面同士の間隔は、２ｍｍから５ｍｍであり、突起と挟持面との間隔は、１ｍｍから３ｍｍであることを特徴とする請求項１乃至請求項１０の何れか１項に記載のゴルフ用マーカー保持具。
【請求項１２】
前記抜け止め突起は、互いに隙間を開けて二つ以上形成されると共に、他方の挟持部の挟持面に少なくとも一つ以上の抜け止め突起が形成され、他方の挟持面に形成された抜け止め突起が当該隙間に対面する位置に形成されていることを特徴とする請求項１乃至請求項１１の何れか１項に記載のゴルフ用マーカー保持具。
【考案の詳細な説明】
【技術分野】
【０００１】
本考案は、ゴルフの競技中において、グリーン上のボールの位置を記憶しておくためのゴルフ用マーカーを保持するゴルフ用マーカー保持具に関するものである。
【背景技術】
【０００２】
この種のゴルフ用マーカーは、ゴルフ用マーカー保持具に保持されることが可能に形成されているものであって、当該ゴルフ用マーカー保持具は、帽子の鍔等を挟持するようにして該鍔等に取り付けられるように形成されている。
【０００３】
該マーカー及びマーカー保持具は、意匠的に趣向を凝らしてあるものが多く、その使用が流行している上に、該マーカー及びマーカー保持具を趣味的に集めるだけのコレクターも多数存在する。
【０００４】
しかし、従来のゴルフ用マーカー保持具は、前述のように、帽子の鍔等を挟持するようにして、該鍔等に取り付けられる構成であるため、帽子の鍔等の厚さが一定範囲内の場合には、該マーカー保持具を帽子の鍔等を挟持するようにして取り付けることができるとしても、帽子の鍔等の厚さが一定以上に厚い場合や一定以下に薄い場合には、対応しにくく、該マーカー保持具を帽子の鍔等に容易に取り付けることができなかったり、或いは、取り付けても容易に脱落するといった問題があった。
【０００５】
又、文献１には、ゴルフ用マーカー保持具に突起を設け、該突起が帽子の鍔等に食い込むようにして、帽子の鍔等に取り付けできるようにしたゴルフ用マーカー保持具が開示されている。
【０００６】
図１５乃至図２１は、特許文献１に記載されているゴルフ用マーカー保持具を示す。
【特許文献１】意匠登録第７３５０９７号公報
【０００７】
当該文献１に記載のゴルフ用マーカー保持具１００は、一枚の板材をＵ字状に折り曲げることで互いに対向するように形成された一対の挟持部１０１、１０２の間の隙間Ｓに被取付部材１０３を差し込むようにして該被取付部材１０３に取付られるものである。該被取付部材１０３としては、帽子の鍔等が該当する。一方の挟持部１０１の内面には突起１０４が設けられて、該突起１０４と、他方の挟持部１０２との間で該被取付部材１０３を挟持するようにして、ゴルフ用マーカー保持具１００を被取付部材１０３に取り付けるための力を強力にしている。
【０００８】
該突起１０４は、プレス成形によって、隙間Ｓ内へ円筒面状に突出するように形成される。そして、他方の挟持部１０２の外面には、マーカー保持部１０５が接着によって取り付けられて、ゴルフ用マーカーを保持できるようになっている。
【考案の開示】
【考案が解決しようとする課題】
【０００９】
ところで、前述のように、突起１０４の設けられているゴルフ用マーカー保持具１００は、突起１０４の設けられていないゴルフ用マーカー保持具と比較して以下の利点を有する。突起の設けられていないゴルフ用マーカー保持具とは、２つの挟持部の間で、被取付部材を挟持するようにして、該被取付部材に取り付けられるようになっているものである。
【００１０】
突起の設けられていないゴルフ用マーカー保持具にあっては、２つの挟持部と被取付部材との間の摩擦力によって、ゴルフ用マーカー保持具が、被取付部材に取り付けられるものであるため、仮に、厚手の被取付部材に取り付けられて２つの挟持部同士の間の隙間が僅か拡がっただけで、挟持部と被取付部材との間の摩擦力が減少してしまうため、ゴルフ用マーカー保持具を厚手の被取付部材に取り付けた後に、薄手の被取付部材に取り付けようとした場合、ゴルフ用マーカー保持具が、薄手の被取付部材から脱落し易くなってしまうという欠点がある。
【００１１】
しかし、図１５乃至図２１に示すように、突起１０４を備えたゴルフ用マーカー保持具１００にあっては、突起１０４が被取付部材１０３に食い込むようにして、ゴルフ用マーカー保持具１００が被取付部材１０３に取り付けられるため、仮に、該ゴルフ用マーカー保持具１００が厚手の被取付部材１０３に取り付けられて、挟持部１０１，１０２同士の間の隙間Ｓが僅か拡がっただけでは、その後、該ゴルフ用マーカー保持具１００を薄手の被取付部材１０３に取り付ける場合であっても、突起１０４が薄手の被取付部材１０３に食い込むことができて、ゴルフ用マーカー保持具１００が薄手の被取付部材１０３から容易には脱落しないという利点を有する。
【００１２】
図１５乃至図２１に示すゴルフ用マーカー保持具１００はこのような利点を有する反面、以下の欠点を有している。
【００１３】
当該ゴルフ用マーカー保持具１００においては、一方の挟持部１０１にプレス成形によって内側へ円筒面状に突出する突起１０４が形成されるため、図１８に示すように、一方の挟持部１０１の外面には、当該挟持部１０１の外面を横切るように溝１０６が形成されることになって、一方の挟持部１０１の外面が、当該溝１０６によって二つの面１０７、１０８に分断されることになる。このため、当該一方の挟持部１０１の外面に、仮に、マーカー保持部を接着によって、取り付けようとした場合、当該外面が溝１０６の存在によって狭くなるだけでなく、当該外面が溝１０６によって狭い面積の二つの面１０７，１０８に分断されることになる。
【００１４】
このため、このような形状の当該外面にマーカー保持部を接着によって取り付けようとした場合、当該マーカー保持部を確固として取り付けることができず、マーカー保持部が脱落し易いといった問題があった。このように、文献１に示すゴルフ用マーカー保持具１００においては、突起１０４の設けられていない挟持部１０２の外面側にしか、マーカー保持部を設けることができず、突起１０４の設けられている挟持部１０１の外面を有効活用することができなかった。
【００１５】
又、当該ゴルフ用マーカー保持具１００を被取付部材に取り付けた場合、図１８、図１９に示すように、当該ゴルフ用マーカー保持具１００の挟持力が反力Ｋとして突起１０４に作用して、該突起１０４の裏面側の溝１０６の幅を両側へ押し広げようとする力Ｘ，Ｙが作用する結果、該挟持部１０１とマーカー保持部１０９との間の接着層Ｔに亀裂が発生し、その結果、挟持部１０１からマーカー保持部１０９が脱落し易いという問題もあった。
【００１６】
更に、図２０又は図２１に示すように、挟持部１０１は溝１０６を中心に撓み変形し易く、その結果、挟持部１０１とマーカー保持部１０９とが接着しにくいという問題があった。
【００１７】
更に又、ゴルフマーカー用保持具は、前述のように、意匠的にも優れたものであることが好ましい。然るに、文献１に示す背景技術においては、突起１０４の設けられていない挟持部１０２の外面には、絵柄を表示する面を確保することができて、意匠的効果を上げることのできる可能性があるが、突起１０４の設けられている挟持部１０１の外面は図１８に示すように、溝１０６によって二面１０７，１０８に分断されているため、意匠を施すにしても意匠を施すための一続きの広い面が確保することができず、意匠的効果を上げることができないという問題があった。
【００１８】
このように、文献１に示す背景技術においては、ゴルフ用マーカー保持具にマーカー保持部を取り付けるにしても、又、該ゴルフ用マーカー保持具に意匠を施すにしても、突起の設けられていない一方の挟持部のみしか活用することができず、両方の挟持部を有効活用することには適さなかった。
【００１９】
本考案は前述の背景技術の問題に鑑みて成されたもので、その目的は、薄手の被取付部材から厚手の被取付部材にまで安定感良く取り付けることができる上に、表裏両面に意匠を施すことができるようにし、又、ゴルフ用マーカーを保持するためのマーカー保持部を表裏両側に脱落の虞の少ない状態で確固として取り付けることのできるようにして、表裏両面を有効に活用できるようにしたゴルフ用マーカー保持具を提供するにある。
【課題を解決するための手段】
【００２０】
請求項１に記載の考案は、ゴルフ用マーカー保持具であって、
互いに対向して設けられて被取付部材を挟持する二つの挟持部を備え、これら挟持部の一側が被取付部材の挿入口になり、これら各挟持部の互いに対向する内面は挟持面であって外側は絵柄表示部となり、二つの絵柄表示部の少なくとも一方にはマーカー保持部が設けられ、
前記少なくも一方の挟持部の挟持面には、他方の挟持部側へ向けて突出する抜け止め突起がプレス成形によって１つ以上形成され、該抜け止め突起は一方向へ延設された形状であって且つ、該抜け止め突起の頂部は線状に連続した形状であり、該抜け止め突起は前記挟持面の縁に達しない位置に形成されることによりその周囲が前記挟持面で囲まれ、該抜け止め突起の線状の頂部と、他方の挟持部の挟持面との間で被取付部材を挟持するようにして該被取付部材に取り付けられることを特徴とするものである。
【００２１】
請求項２に記載の考案は、請求項１に記載のゴルフ用マーカー保持具において、前記抜け止め突起は、蒲鉾状であることを特徴とするものである。
【００２２】
請求項３に記載の考案は、請求項１又は請求項２に記載のゴルフ用マーカー保持具において、前記抜け止め突起は、前記挿入口から挿入される被取付部材の挿入方向と直交する方向に延設された形状であることを特徴とするものである。
【００２３】
請求項４に記載の考案は、ゴルフ用マーカー保持具であって、
互いに対向して設けられて被取付部材を挟持する二つの挟持部を備え、これら挟持部の一側が被取付部材の挿入口になり、これら各挟持部の互いに対向する内面は挟持面であって外側は絵柄表示部となり、二つの絵柄表示部の少なくとも一方にはマーカー保持部が設けられ、
前記少なくも一方の挟持部の挟持面には、他方の挟持部側へ向けて突出する抜け止め突起がプレス成形によって１つ以上形成され、該抜け止め突起はその頂部は面状に形成され、該抜け止め突起は前記挟持面の縁に達しない位置に形成されることによりその周囲が前記挟持面で囲まれ、該抜け止め突起の面状の頂部と、他方の挟持部の挟持面との間で被取付部材を挟持するようにして該被取付部材に取り付けられることを特徴とするものである。
【００２４】
請求項５に記載の考案は、請求項４に記載のゴルフ用マーカー保持具において、前記抜け止め突起の頂部は、円形、楕円形又は多角形状の面状であることを特徴とするものである。
【００２５】
請求項６に記載の考案は、請求項１乃至請求項５の何れか１項に記載のゴルフ用マーカー保持具において、前記抜け止め突起は、前記挿入口から１ｍｍ以上離間した位置に形成されていることを特徴とするものである
【００２６】
請求項７に記載の考案は、請求項１乃至請求項６の何れか１項に記載のゴルフ用マーカー保持具において、前記二つの挟持部の挟持面及び突起には、滑り止めが形成されていることを特徴とするものである。
【００２７】
請求項８に記載の考案は、請求項１乃至請求項７の何れか１項に記載のゴルフ用マーカー保持具において、前記挟持部は銅の合金で形成され、前記マーカー保持部はゴルフ用マーカーを磁着するための磁性体で形成され、マーカー保持部は挟持部に溶着又は接着されていることを特徴とするものである。
【００２８】
請求項９に記載の考案は、請求項１乃至請求項の８何れか１項に記載のゴルフ用マーカー保持具において、一枚の板材を折り曲げることにより、一側が被取付部材の挿入口となり、他側が折曲部となると共に、該折曲部から延設するように二つの挟持部が設けられた形状であることを特徴とするものである。
【００２９】
請求項１０に記載の考案は、請求項９に記載のゴルフ用マーカー保持具において、前記折曲部は、二つの挟持部同士の離間幅よりも外側へ広げるように拡張した形状であることを特徴とするものである。
【００３０】
請求項１１に記載の考案は、請求項１乃至請求項１０の何れか１項に記載のゴルフ用マーカー保持具において、前記挟持面同士の間隔は、２ｍｍから５ｍｍであり、突起と挟持面との間隔は、１ｍｍから３ｍｍであることを特徴とするものである。
【００３１】
請求項１２に記載の考案は、請求項１乃至請求項１１の何れか１項に記載のゴルフ用マーカー保持具において、前記抜け止め突起は、互いに隙間を開けて二つ以上形成されると共に、他方の挟持部の挟持面に少なくとも一つ以上の抜け止め突起が形成され、他方の挟持面に形成された抜け止め突起が当該隙間に対面する位置に形成されていることを特徴とするものである。
【考案の効果】
【００３２】
請求項１に記載の考案によれば、抜け止め突起が被取付部材に線状に食い込むようにして、ゴルフ用マーカー保持具が被取付部材に取付けられるため、ゴルフ用マーカー保持具が被取付部材に対して不用意に動くことが少なく、安定した姿勢で、被取付部材に取付られる。又、ゴルフ用マーカー保持具の両側に絵柄表示部が設けられことにより、意匠的効果を奏することができる。更に、ゴルフ用マーカー保持具の両面の少なくとも何れか一方にマーカー保持部を設けることができるため、ゴルフ用マーカー保持具の両面を有効に活用することができる。
【００３３】
請求項２に記載の考案によれば、抜け止め突起は、蒲鉾状に形成することができる。
【００３４】
請求項３に記載の考案によれば、ゴルフ用マーカー保持具が被取付部材から脱落する現象は、該被取付部材の挿入方向と直交する方向に延設された抜け止め突起によって防止される。
【００３５】
請求項４に記載の考案によれば、抜け止め突起が被取付部材に面状に食い込むようにして、ゴルフ用マーカー保持具が被取付部材に取り付けられるため、ゴルフ用マーカー保持具が被取付部材に対して不用意に動くことが少なく、安定した姿勢で、被取付部材に取付られる。又、ゴルフ用マーカー保持具の両側に絵柄表示部が設けられことにより、意匠的効果を奏することができる。更に、ゴルフ用マーカー保持具の両面の少なくとも何れか一方にマーカー保持部を設けることができるため、ゴルフ用マーカー保持具の両面を有効に活用することができる。
【００３６】
請求項５に記載の考案によれば、頂部が円形、楕円形又は多角形の面状の抜け止め突起が、被取付部材に押し付けられることにより、被取付部材は、該抜け止め突起と挟持部との間で強力に挟持される。
【００３７】
請求項６に記載の考案によれば、挿入口を広く確保できるため、厚手の被取付部材を該挿入口に容易に差し込むことができる。
【００３８】
請求項７に記載の考案によれば、挟持面および抜け止め突起に形成されている滑り止めによって、ゴルフ用マーカー保持具が、被取付部材から脱落する現象が一層防止される。
【００３９】
請求項８に記載の考案によれば、挟持部が銅の合金で形成されているため、錆が発生しにくく、見栄え良く経年的に反復して使用することができる上に、マーカー保持部は磁性体で形成されているため、該マーカー保持部にゴルフ用マーカーを確実に磁着させることができる。
【００４０】
請求項９に記載の考案によれば、一枚の板材を折り曲げることによって、ゴルフ用マーカー保持具を形成することができる。
【００４１】
請求項１０に記載の考案によれば、二つの挟持部の離間幅よりも厚手の被取付部材にゴルフ用マーカー保持具を取り付けることができる。
【００４２】
請求項１１に記載の考案によれば、薄手の被取付部材に対してだけでなく、厚手の被取付部材に対しても、ゴルフ用マーカー保持具を取り付けることができる。
【００４３】
請求項１２に記載の考案によれば、互い違いに設けられた抜け止め突起によって、ゴルフ用マーカー保持具を被取付部材に確固として取り付けることができる。
【考案を実施するための最良の形態】
【００４４】
図１はゴルフ用マーカー保持具１の斜視図、図２は図１の側面図であって、２つのマーカー保持部９を設けた場合を示し、図３は１つのマーカー保持部９を設けた場合を示す。図４は図２のIV―IV線矢示方向断面図、図５は図３の裏面図である。
【００４５】
ゴルフ用マーカー保持具１は、一枚の板材を略Ｕ字状に折り曲げることにより、横から観た形状が略Ｕ字状の折曲部２と、該折曲部２から延設した二つの挟持部３、４とを備えた形状あって、二つの挟持部３，４は隙間Ｓを開けて互いに対面した形状である。該二つの挟持部３、４は互いに対面する内面が挟持面３a、４aとなっている。又、該２つの挟持部３、４の外面は、それぞれ絵柄表示部３b、４bになっている。該絵柄表示部３b、４bには、様々な絵柄が表示可能であって、ゴルフ用マーカー保持具１の意匠的効果を奏することができるようになっている。
【００４６】
該ゴルフ用マーカー保持具１は、図１乃至図３に示すように、一側に前記折曲部２が設けられると共に、該折曲部２が形成されていない三方は、第１挿入口５、第２挿入口６、第３挿入口７となっている。即ち、第１挿入口５、第２挿入口６、第３挿入口７の内の任意の挿入口を選択して、図２に示すように、被取付部材８を挟むように差し込むことによって、ゴルフ用マーカー保持具１を該被取付部材８に取付できるものである。該被取付部材８としては、図２中、二点鎖線で示すように帽子の鍔や厚手の服等が該当する。
【００４７】
前記板材は、例えば、リン青銅のような銅の合金で形成されることができるが、板材を、銅の合金で形成した場合には、マーカーＭを磁着させることができないため、前記二つの挟持部３、４の少なくとも何れか一方の外面には、磁性体で形成されたマーカー保持部９が接着、溶着等によって取り付けられて、マーカーＭを磁着させることができるようになっている。リン青銅は、バネ性に優れ、強度が強く、曲げ、絞り加工性が良く、耐摩耗性が良い等の長所を有している。図２は、マーカー保持部９を両挟持部３、４の両外面に設けた場合を示し、図３はマーカー保持部９を挟持部４の外面にのみ設けた場合を示す。
【００４８】
前記二つの挟持面３a、４aの内の一方の挟持面３aには、他方の挟持面４a側へ向けて突出する抜け止め突起１０が形成されている。該抜け止め突起１０は、蒲鉾状に形成することができる。前記三つの挿入口の内の第１挿入口５を選択して被取付部材８を挿入することを想定した場合には、図２乃至図４に示すように、該抜け止め突起１０はその軸芯L（図４に示す）が、該第１挿入口５から挿入される被取付部材８の挿入方向（図４中、矢示Ａ方向）と直交するように形成されることができる。又、前記抜け止め突起１０は、前記第１挿入口５から１ｍｍ以上離間した位置に形成されることにより、該第１挿入口５の縁部の空間を広く確保することができて、該第１挿入口５から被取付部材８を容易に差し込むことができる。
【００４９】
該抜け止め突起１０は、プレス成形によって形成されるものであって、挟持部３の挟持面３aの縁にまで達しない位置に形成されることにより、図４に示すように、該抜け止め突起１０の周囲は、挟持面３aによって囲まれ、又、図５に示すように、該抜け止め突起１０の裏側の凹部３Cの周囲は、絵柄表示部３bによって囲まれている。即ち、図５に示すように、挟持部３の裏側の絵柄表示部３bは、抜け止め突起１０を囲むように設けられることによって、該絵柄表示部３bには、該抜け止め突起１０を囲むような一連の絵柄を表示することができる。
【００５０】
前記挟持面３a、４a及び抜け止め突起１０には、滑り止めとしての網目状の凹凸が形成されて、ゴルフ用マーカー保持具１が被取付部材８から容易に抜け落ちないようになっている。
【００５１】
前記挟持面３a、４a同士の間の間隔は２ｍｍから５ｍｍであって、抜け止め突起１０と挟持面４aとの間の間隔は、１ｍｍから３ｍｍに形成されることにより、薄手の被取付部材８に対しても、又は、厚手の被取付部材８に対しても、該ゴルフ用マーカー保持具１を取り付けることができるように設定されている。
【００５２】
前記マーカー保持部９にデザインを施すことにより、趣向性を高めることができる。図１では、マーカー保持部９は、ワニの形態をモチーフに形成された場合について示している。
【００５３】
次に、作用について説明する。図２に示すように、２つの挟持部３、４の外面にマーカー保持部９を設けるとする。この場合、挟持部４の外面は平面になっているため、該挟持部４の外面に接着、又は溶着によって、マーカー保持部９を設ける。一方、挟持部３の外面は、図５に示すように、抜け止め突起１０の裏側が凹部３cとなって現れるが、当該凹部３cを囲むようにして、該挟持部３の外面に接着、又は溶着によって、マーカー保持部９を設ける。この場合、挟持部３の外面は、図１７に示す背景技術のように溝１０６によって分断されていないため、マーカー保持部９を確固として、挟持部３の外面に設けることができる。
【００５４】
次に、図３に示すように、挟持部４の外面にのみマーカー保持部９を設ける場合には、挟持部３の外面の絵柄表示部３ｂが表面に露出することによって、ゴルフ用マーカー表示具１の意匠的効果を奏することができる。この時、挟持部４の外面に設けられている絵柄表示部４ｂの一部又は全部が、マーカー保持部９によって、覆い隠された状態になる。
【００５５】
又、図２に示す状態から、挟持部４の外面に設けられているマーカー保持部９を取り除いて、マーカー保持部９を挟持部３の外面にのみ取り付けた場合には、挟持部４の外面の絵柄表示部４ｂが外部に露出することができて、ゴルフ用マーカー保持具１の意匠的効果を奏することができる。この時、挟持部３の外面に設けられている絵柄表示部３ｂの一部又は全部が、マーカー保持部９によって、覆い隠された状態になる。
【００５６】
以上のように、２つの挟持部３、４の何れか一方の外面にマーカー保持部９を設けた場合には、２つの挟持部３、４の他方の外面に設けられた絵柄表示部３a、４aが露出することができて、ゴルフ用マーカー表示具１の意匠的効果を奏することができる。又、２つの挟持部３、４の双方の外面にマーカー保持部９を設ける場合には、２つのマーカー保持部９の内から任意の一のマーカー保持部９を、その都度、選択し、選択された任意の一のマーカー保持部９にマーカーＭを保持させることができる。
【００５７】
次に、被取付部材８として帽子を選択し、該帽子に、ゴルフ用マーカー保持具１を取り付ける場合について説明する。ゴルフ用マーカー保持具１の第１挿入口５へ帽子の鍔８を挿入する場合には、該第１挿入口５を帽子の鍔８に当接した状態でゴルフ用マーカー保持具１を操作して帽子の鍔８を該第１挿入口６内へ押し込む。すると、帽子の鍔８は、二つの挟持部３、４を押し広げるようにして、抜け止め突起１０を乗り越えて奥へ押し込まれ、最大でも該鍔８が折曲部２に当接した時点で停止する。
【００５８】
この状態においては、帽子の鍔８は、挟持面４a、４ｂに面で接触し、且つ、抜け止め突起１０とは強く主に線で接触している。特に、抜け止め突起１０は、帽子の鍔８の挿入方向と直交する向きの線状に形成されて、帽子の鍔８に食い込んだ状態にあるため、ゴルフ用マーカー保持具１は、帽子の鍔８から容易に抜け出ることがなく、脱落し難い。
【００５９】
又、抜け止め突起１０は、帽子の鍔８に対して線状に食い込んだ状態にあるため、ゴルフ用マーカー保持具１は、帽子の鍔８に対して不用意に振れることがなく、安定した状態で、帽子の鍔８に取り付けられた状態が維持される。
【００６０】
更に、図５に示すように、突起１０の裏側の凹部３cの周囲は、絵柄表示部３ｂによって囲まれているものであって、図１６乃至図２２に基づき説明した背景技術のように、溝によって分断されてはいない。このため、背景技術のように、挟持部３、４が変形する虞がない。このため、背景技術に比較して、この実施形態においては、背景技術に示すような変形に基づく不都合が発生する虞がなく、図１乃至図３に示すように、挟持部３、４の外面にマーカー保持部９を確固として取り付けることができる。
【００６１】
尚、以上の実施形態においては、抜け止め突起１０の形状として、蒲鉾状に形成した場合について説明したが、該抜け止め突起１０は、一方向へ延設した形状であって、且つ、該抜け止め突起１０の頂部１０aが線状に連続したものであれば、前述した作用効果と同様の作用効果を奏することができるものである。
【００６２】
図６は第２実施形態を示す。この第２実施形態の特徴は、第２挿入口６から挿入される被取付部材８の挿入方向と直交する方向へ向けて、抜け止め突起１０を延設した点にある。又、同図６中、二点鎖線で示すように、第３挿入口７から挿入される被取付部材８の挿入方向と直交する方向へ向けて、抜け止め突起１０を延設してもよい。この第２実施形態においては、第２挿入口６や第３挿入口７から挿入される被取付部材８に対して、前記第１実施形態で説明した作用効果と同様の作用効果を奏する。
【００６３】
図７は、第３実施形態を示す。図７はゴルフ用マーカー保持具１の折曲部２近傍の側面図である。この第３実施形態の特徴は、折曲部２が、二つの挟持部３、４同士の離間幅よりも一方の挟持部４の外側へ広がるように拡張した形状である点にある。
【００６４】
当該第３実施形態においては、折曲部２が、二つの挟持部３、４同士の離間幅よりも外側へ広がるように拡張した形状であるため、挟持部４は二点鎖線で示すように、外側へ開くことができて、厚手の被取付部材であっても、折曲部２近傍にまで深く差し込むことができる。このため、ゴルフ用マーカー保持具１を被取付部材に安定感良く取り付けることができる。尚、図８に示すように、折曲部２が、二つの挟持部３、４同士の離間幅よりも双方の挟持部３、４の外側へ広がるように拡張した形状にすることも可能である。
【００６５】
図９は、第４実施形態を示す。図９は、抜け止め突起１０の斜視図である。この第４実施形態の特徴は、第１実施形態の抜け止め突起１０の頂部１０aを長方形状の平面に形成した点にある。本実施形態においては、抜け止め突起１０の頂部１０aが長方形の面状に被取付部材８に食い込むことができる。本実施形態においては、抜け止め突起１０が被取付部材８に対して面で接触するため、第１実施形態の抜け止め突起１０に比較して、被取付部材８に対する食い込み力が低下するが、被取付部材８の生地に対する影響が少なくなる。
【００６６】
図１０は第５実施形態を示す。抜け止め突起１０の斜視図である。この第５実施形態の特徴は、抜け止め突起１０を円錐台に形成して、該抜け止め突起１０の頂部１０aを円形の平面に形成した点にある。この第５実施形態においても、第４実施形態と同様の作用効果を奏することができる。
【００６７】
図１１及び図１２は、第６実施形態を示す。図１１は、ゴルフ用マーカー保持具の側面を示す。図１２は、ゴルフ用マーカー保持具１を一方の挟持部４の外面側から観た状態を示す。この第６実施形態の特徴は、図１１に示すように、一方の挟持部３の内面に、互いに隙間を開けて２つの抜け止め突起１０、１０を設け、且つ、他方の挟持部４の内面には、当該隙間に対面する位置に１つの突起１０を設けることにより、抜け止め突起１０が互い違いに設けられている点にある。図１２に示すように、前記三つの抜け止め突起１０は、一列に並んだ位置に設けることができる。
【００６８】
この第６実施形態においては、同図１１中、二点鎖線で示すように、三つの抜け止め突起１０が、被取付部材８を撓ませるようにして、互いの抜け止め突起１０側へ押し付けるため、抜け止め突起１０と被取付部材８との間の摩擦力が強力になるだけでなく、抜け止め突起１０が被取付部材８に食い込む力が強力になって、ゴルフ用マーカー保持具１は被取付部材８に強固に取り付けられる。
【００６９】
図１３は、第７実施形態を示す。図１３は、ゴルフ用マーカー保持具１を一方の挟持部４の外面側から観た状態を示す。図中、抜け止め突起１０b、１０bは、一方の挟持部３の内面の線L１上に設けられ、抜け止め突起１０ｃ、１０ｃは、他方の挟持部４の内面の線L２上に設けられている。そして、２つの線L１、L２は、互いに交差している。この第７実施形態においても、抜け止め突起１０ｂ、１０cと被取付部材８との間の摩擦力並びに、抜け止め突起１０b、１０ｃが被取付部材８に食い込む食い込み力によって、ゴルフマーカー用保持具１は被取付部材８に強力に取り付けられる。
【００７０】
前記抜け止め突起１０は、蒲鉾状、円錐台、角錐台の形状に形成されることができる。
【００７１】
更に、前述の第６乃至第７実施形態に示すように、突起１０を両挟持部３、４の内面に設けた場合においては、以下の作用効果も奏する。仮に、図１４（a）に示すように、一方の挟持部３内面にのみ突起１０を設けた場合、薄手の被取付部材を挟持できるように、両挟持部３、４同士の間隔は狭く制限される。これに対して、図１４（b）に示すように、突起１０を両挟持部３、４の内面に設けた場合、挟持部３、４同士の間の間隔を広げるように形成しても、突起１０同士の間で、薄手の被取付部材を確固として挟持することができるため、このように広げて設けられた一対の挟持部３、４同士の間に厚手の被取付部材であっても容易に差し込むことができる。
【００７２】
前記ゴルフ用マーカー保持具１は各種の金属で形成することができるが、疲労強度の小さな銅の合金で形成した場合には、複数回の反復的な使用をしても、ゴルフ用マーカー保持具１による挟持力を長く維持することができる上に、スチール等に比較して錆による弊害を極力抑制することができる。
【図面の簡単な説明】
【００７３】
【図１】ゴルフ用マーカー保持具の斜視図である。（第１実施形態）
【図２】ゴルフ用マーカー保持具の側面図である。（第１実施形態）
【図３】ゴルフ用マーカー保持具の側面図である。（第１実施形態）
【図４】図２をIV―IVで断面にした状態で、斜め上方から観た状態の斜視図である。（第１実施形態）
【図５】図４の裏面図である。（第１実施形態）
【図６】抜け止め突起の形成位置を示す、図４と同様の図である。（第２実施形態）
【図７】ゴルフ用マーカー保持具の折曲部近傍の側面図である。（第３実施形態）
【図８】図７の変形例である。
【図９】抜け止め突起の斜視図である。（第４実施形態）
【図１０】抜け止め突起の斜視図である。（第５実施形態）
【図１１】ゴルフ用マーカー保持具の側面図である。（第６実施形態）
【図１２】ゴルフ用マーカー保持具を挟持部の外面側から観た状態の図である。（第６実施形態）
【図１３】ゴルフ用マーカー保持具を挟持部の外面側から観た状態の図である。（第７実施形態）
【図１４】抜け止め突起を一方の挟持部材の内面のみに形成した場合、抜け止め突起を両挟持部の内面に形成した場合とを対比した場合の図である。
【図１５】ゴルフ用マーカー保持具の側面図である。（背景技術）
【図１６】ゴルフ用マーカー保持具を挟持部の外面側から観た状態の図である。（背景技術）
【図１７】図１６の裏面図である。（背景技術）
【図１８】図１７の一部を拡大して示す図である。（背景技術）
【図１９】図１８に示す挟持部の外面にマーカー保持部を設けた場合の側面図を示す。（背景技術）
【図２０】図１９において挟持部が撓んだ状態の側面図である。（背景技術）
【図２１】図１９において挟持部が撓んだ状態の側面図である。（背景技術）
【符号の説明】
【００７４】
１  ゴルフ用マーカー保持具
２  折曲部
３  挟持部
３a  挟持面
３b  絵柄表示部
４  挟持部
４a  挟持面
４b  絵柄表示部
５  第１挿入口
６  第２挿入口
７  第３挿入口
８  被取付部材
９  マーカー保持部
１０  抜け止め突起
１０a  頂部
１０b  抜け止め突起
１０c  抜け止め突起
【図１】
0003125946.tif 000003
【図２】
0003125946.tif 000004
【図３】
0003125946.tif 000005
【図４】
0003125946.tif 000006
【図５】
0003125946.tif 000007
【図６】
0003125946.tif 000008
【図７】
0003125946.tif 000009
【図８】
0003125946.tif 000010
【図９】
0003125946.tif 000011
【図１０】
0003125946.tif 000012
【図１１】
0003125946.tif 000013
【図１２】
0003125946.tif 000014
【図１３】
0003125946.tif 000015
【図１４】
0003125946.tif 000016
【図１５】
0003125946.tif 000017
【図１６】
0003125946.tif 000018
【図１７】
0003125946.tif 000019
【図１８】
0003125946.tif 000020
【図１９】
0003125946.tif 000021
【図２０】
0003125946.tif 000022
【図２１】
0003125946.tif 000023